【事件の表示】
　特許第３１６３０６７号「遊戯台」の請求項１乃至６に係る特許に対する特許異議の申立てについて、次のとおり決定する。
【結　論】
　特許第３１６３０６７号の請求項１乃至６に係る特許を維持する。
【理　由】
１．手続の経緯
　
　特許第３１６３０６７号の請求項１乃至６に係る発明についての出願は、平成１０年１１月１６日に出願された特願平１０−３２５６５４号であって、平成１３年２月２３日にその発明について特許権の設定登録がなされ、その後、その特許について異議申立人荒川浩二より特許異議の申立てがなされたものである。
　
２．特許異議申立てについて
　
２−１．本件発明
　特許第３１６３０６７号の請求項１乃至６に係る発明（以下、「本件発明１」乃至「本件発明６」という。）は、その特許請求の範囲の請求項１乃至６に記載された事項により特定される下記のとおりのものである。
「【請求項１】　特定絵柄を含む複数種類の絵柄よりなる絵柄列を複数列備え、メダルまたは玉等の遊戯媒体を投入し、遊戯の開始操作により前記複数列の絵柄列を絵柄表示窓上で移動を開始させると同時に、抽選により内部入賞の当否を確定し、前記内部入賞した場合を内部入賞状態とし、各絵柄列に対応した停止操作に対して、前記各絵柄列を前記内部入賞状態に基づいた所定の組み合せで絵柄が絵柄表示窓上に表示されるように制御して停止させ、停止した前記絵柄表示窓上の絵柄の組み合わせから入賞を定め、所定の数の遊戯媒体を払い戻す遊戯台であって、
１）所定の絵柄の組み合せが前記絵柄表示窓上に揃った場合には特定遊戯状態の制御を行い、前記特定遊戯状態では通常遊戯の状態よりも所定の遊戯回数に限って所定絵柄の入賞確率が高くなる制御を行い、前記特定遊戯状態における一般遊戯中に、所定の絵柄の組み合せが前記絵柄表示窓上に揃った場合には特別遊戯の行える特別遊戯状態の制御を行い、
２）前記特定遊戯状態での一般遊戯の回数が所定の回数を経過するか、または前記特別遊戯の回数が所定の回数を経過した場合、前記特定遊戯状態を解除し、
３）また、特定遊戯状態でない時に特別遊戯の行える所定の絵柄の組み合せが前記絵柄表示窓上に揃って停止した場合には特別遊戯を１度限り行える特別遊戯状態の制御を行い、
４）制御部が前記特定遊戯状態になるように絵柄列の停止位置を制御する内部特定入賞状態と、前記特定遊戯状態でない時に制御部が前記特別遊戯状態になるように制御する内部特別入賞状態は前記内部入賞状態に含まれ、
５）制御部は、前記内部特定入賞状態または内部特別入賞状態を、前記絵柄列の停止時に絵柄表示窓上に表示される絵柄列の組み合せが前記特定遊戯状態になる組み合せまたは前記特別遊戯状態になる組み合せになるまで保持し、
６）前記内部特定入賞状態または前記内部特別入賞状態の内部入賞状態を、内部入賞状態が成立した時に、該内部入賞状態が成立した時より所定の遅れをもって前記内部入賞の状態を遊戯者に物理的手段により報知し、かつ、前記所定の遅れは、内部入賞状態が成立した後、予め定めた複数の遊戯回数より抽選により選択された遊戯回数の経過を遅れとしたことを特徴とする遊戯台。
【請求項２】　前記物理的手段は、照明、音源、振動、固体の突出動作、またはこれらの組み合せによる物理的手段を含むことを特徴とする請求項１に記載の遊戯台。
【請求項３】　前記所定の遅れが、各リールの回転開始時まで、各リールの停止過程まで、全リールの停止時まで、若しくは、全リール停止後の所定の時間経過時までのいずれかの期間であることを特徴とする請求項１に記載の遊戯台。
【請求項４】　前記内部特定入賞状態、または前記内部特別遊戯状態に内部入賞し、前記内部状態の報知を行った後、前記絵柄列の停止時に絵柄表示窓上に表示される絵柄列の組み合せが、前記特定遊戯状態になる組み合せまたは前記特別遊戯状態になる組み合せになるまで、前面パネル上のボーナスフラグ告知ランプを点灯することを特徴とする請求項１に記載の遊戯台。
【請求項５】　前記ボーナスフラグ告知ランプの点灯は、前記内部特定入賞状態であるか、前記内部特別遊戯状態であるかの区別がつくことを特徴とする請求項４に記載の遊戯台。
【請求項６】　前記遊戯台は回胴式遊戯機、または弾球遊戯機であることを特徴とする請求項１に記載の遊戯台。」
　
２−２．申立ての理由の概要
　申立人荒川浩二は、下記甲第１乃至５号証を提出し、本件発明１乃至６は、甲第１乃至５号証に記載された発明に基づいて、当業者が容易に発明をすることができたものであるから、特許法第２９条第２項の規定により特許を受けることができないものであり、本件発明１乃至６の特許を取り消すべき旨主張している。
甲第１号証：登録実用新案第３０５３６８２号公報
甲第２号証：必勝パチスロファンVOL22, ,株式会社日本文芸社,平成6年4月30日, p.4-5
甲第３号証：パチスロ必勝ガイド 1998年11月号,株式会社白夜書房,平成10年11月1日,第9巻,第14号,p.6-7
甲第４号証：パチスロ必勝ガイド 1998年8月号,株式会社白夜書房,平成10年8月1日,第9巻,第9号,p.38-39
甲第５号証：パチスロ完全攻略事典 VOL.9,株式会社日本文芸社,平成10年9月25日,p.68-73
　
２−３．甲号証に記載された発明
（１）甲第１号証に記載された発明
　第２頁第１欄第１〜１９行、第７頁第９行〜第８頁第１４行、第１３頁第９〜１４行、第１３頁第２８行〜第１４頁第９行、第１７頁第２９行〜第１８頁第６行、第１９頁第５〜２９行及び第２頁第６〜２２行の記載からみて、甲第１号証には以下の発明が記載されている。
「外周に複数のシンボルを有する複数のリールを有し、メダルの投入後にスタートレバーなどの操作によって前記リールを外周の複数のシンボルがおおむね識別され得る程度の速度で回転させ、プログラム上で各賞についての抽選を行い、内部当りとなった場合は、遊技者が各リールに対応したストップボタンを操作してから一定時間内に可能な範囲で、対応するシンボルを入賞に必要な位置に引き込んで停止させ、該入賞に必要な位置に停止されたシンボルの組み合せが所定の入賞条件を達成することと入賞とが対応するゲームを実行する遊技機であって、メダルを１枚だけ投入することができ、所定枚数のメダルを払い出す賞に高率で入賞し得るＳＢ（シングルボーナス）と、該ＳＢを所定回数繰り返すことができるＲＢ（レギュラーボーナス）と、該ＲＢを所定回数繰り返すことができるＢＢ（ビッグボーナス）とが内部当り対象賞に含まれ、内部当り状態は、内部当りとなった賞に入賞するまで継続し、内部当り対象賞の一部又は全てである複数の賞が、特定の賞であり、その特定の賞に内部当り状態が設定されている場合に遊技者に内部当り状態が設定されていることを報知する内部当り設定報知手段と、その内部当り設定報知手段による報知開始から遅延した時期に、内部当り状態が設定されている特定の賞の種類に応じた報知を遊技者に対し行う賞種報知手段を備えることを特徴とする遊技装置。」
（２）甲第２号証に記載された発明
　甲第２号証には、その全体の記載からみて、以下の発明が記載されている。
「ビッグボーナスのフラグが成立すると、リール窓の右上にある“ＢＩＧ　ＣＨＡＮＣＥ”と書かれた部部が、レギュラーボーナスのフラグが成立すると“ＢＯＮＮＳ　ＣＨＡＮＣＥ”と書かれた部分が点灯する、“ペガサスワープＧ”なる遊戯台。」
（３）甲第３号証に記載された発明
　甲第３号証には、その全体の記載からみて、以下の発明が記載されている。
「ボーナスフラグ成立後には１／６の割合で「たま〜や〜！！」ランプが点滅する、“花火”なる遊戯台。」
（４）甲第４号証に記載された発明
　甲第４号証には、その全体の記載からみて、以下の発明が記載されている。
「ＢＩＧ　ＢＯＮＵＳ又はＲＥＧ　ＢＯＮＵＳのフラグが成立すると、いずれかのストップボタンを押した瞬間に告知音が鳴るとともに、全リール停止後に筐体上部のランプが、ＢＩＧ　ＢＯＮＵＳのフラグ成立の場合は３つとも点滅し、ＲＥＧ　ＢＯＮＵＳのフラグ成立の場合は左右のどちらかのみ点滅するフラグ告知システムを有する、“ゴールデンベル”なる遊戯台。」
（５）甲第５号証に記載された発明
　甲第５号証には、その全体の記載からみて、以下の発明が記載されている。
「リールの停止時にビッグボーナス又はレギュラーボーナスのフラグが成立したことを報知する、“サンダーＶ”なる遊戯台。」
　
２−４．対比・判断
　本件発明１と甲第１乃至５号証に記載された発明を比較すると、甲第１乃至５号証に記載された発明は、何れも、本件発明１を特定する事項である「内部特定入賞状態または内部特別入賞状態の内部入賞状態を、内部入賞状態が成立した時に、該内部入賞状態が成立した時より所定の遅れをもって前記内部入賞の状態を遊戯者に物理的手段により報知し、かつ、前記所定の遅れは、内部入賞状態が成立した後、予め定めた複数の遊戯回数より抽選により選択された遊戯回数の経過を遅れとした」点を備えていない。さらに上記の点は、甲第１乃至５号証に記載された発明に基づいて当業者が容易に想到し得る事項でもない。
　そして本件発明１は、上記の点を備えることにより、既に入賞しているかもしれないということを遊戯者に考えさせ、遊技者にとって、一つ一つの停止操作に工夫ができ、ゲームに面白味と深みを備えることができるという格別な効果を奏するものである。
　したがって本件発明１は、甲第１乃至５号証に記載された発明に基づいて当業者が容易に発明をすることができたものではない。
　そして本件発明２乃至６は、本件発明１を直接又は間接に引用しているから、甲第１乃至５号証に記載された発明に基づいて当業者が容易に発明をすることができたものではない。
　
２−５．むすび
　以上のとおりであるから、特許異議の申立ての理由によっては本件発明についての特許を取り消すことはできない。
　また、他に本件発明についての特許を取り消すべき理由を発見しない。
　よって、結論のとおり決定する。
【異議決定日】
平成１４年２月１３日（２００２．２．１３）